(57)【特許請求の範囲】
【請求項１】
筐体内に、上側から順に紙幣識別機、硬貨導入通路、及び上面にこの硬貨導入通路が接続されかつ下面に硬貨返却通路と硬貨回収通路が接続された硬貨識別機が配置されてなる遊技媒体貸出装置において、
上記硬貨選別機、硬貨導入通路、硬貨返却通路及び硬貨回収通路は、１つの保持プレートを介して筐体の側面部に取り付けられており、
上記保持プレートの上縁部及び下縁部にはそれぞれ縁部を内側にＬ字状に折り曲げてなる水平方向に延びるガイド部が形成されている一方、
上記筐体の側面部には、上記ガイド部に嵌合可能な円筒状の突部が各ガイド部に対応してそれぞれ少なくとも２つずつ形成されており、
また筐体の前面部側にはストッパー部が設けられており、
上記保持プレートを筐体の側面部に取り付ける時保持プレートを取付位置よりも後方から上記各突部をそれぞれ対応するガイド部に嵌合しかつガイド部の延び方向に沿って相対移動させながら前方に移動させ、保持プレートの前縁部を上記ストッパー部に当接させて位置決めを行い、この位置決め状態で保持プレートを各突部上にそれぞれねじ止めにより固定するように構成されており、
上記硬貨選別機は、前後２つの側壁面にそれぞれ２つずつの突起部を有しており、
上記保持プレートにはこの硬貨選別機の前後２つの側壁面を挟持する一対の挟持壁が設けられているとともに、この各挟持壁には上記各突起部が係合可能な２つの係合溝が形成されていて、この各係合溝に各々対応する突起部を係合させかつ一対の挟持壁間に硬貨選別機の前後２つの側壁面を挟持させた状態で硬貨選別機が保持プレートに保持されてなることを特徴とする遊技媒体貸出装置。
【請求項２】
上記保持プレートの中央部には硬貨識別機に対応した大きさの略矩形状の開口部が設けられているとともに、この開口部の両側縁部に上記一対の挟持壁がそれぞれ側壁部を略直角に折り曲げて形成されており、上記硬貨識別機は、その前後２つの側壁面を一対の挟持壁間に挟持させた状態で保持プレートに保持されるとき上記開口部に嵌り込むようになっている請求項１記載の遊技媒体貸出装置。
【請求項３】
上記硬貨選別機は、硬貨導入通路を通して導入される硬貨を取り入れる硬貨取り入れ口の一部が開閉ゲートにより構成されてなり、
上記硬貨取り入れ口で硬貨が詰まった場合に開閉ゲートを少し開いて詰まった硬貨を硬貨選別機内から硬貨返却通路を通して硬貨返却口に戻すための硬貨返却機構を備えており、
この硬貨返却機構は、上記硬貨選別機の硬貨取り入れ口側に略水平に延びかつ後端が支軸回りに回動可能に設けられた返却レバーと、上記保持プレートに軸方向に移動可能に取り付けられ、一端が筐体の前面部から前方に突出する硬貨返却ボタンと、上記保持プレートに揺動可能に取り付けられ、上記硬貨返却ボタンの押し操作により揺動して返却ボタンの自由端を押し下げる揺動部材とを有しており、
上記保持プレートには、上記揺動部材に対応して、上記開口部の上縁を切り欠いてなる切り欠き部が形成されている請求項２記載の遊技媒体貸出装置。
【発明の詳細な説明】
【技術分野】
【０００１】
本発明は、遊技場においてパチンコ機などの各遊技機に隣接して設置される遊技媒体貸出装置に関し、詳しくは、筐体内に装備される硬貨選別機の取付構造に係わる。
【背景技術】
【０００２】
従来、この種の遊技媒体貸出装置として、例えば特許文献１に開示されるように、筐体の内部に少なくとも硬貨選別機及び制御基板を配置するとともに、筐体の前面部に硬貨投入口、硬貨返却ボタン及び硬貨返却口などを設けたものは知られている。硬貨選別機は、硬貨投入口から投入された硬貨の真偽や金種の選別を行うもので、その内部にセンサなどを装備してなる。そして、通常、所定の硬貨（例えば１００円硬貨）が硬貨投入口に投入されるとその硬貨を回収通路を通して回収する一方、それ以外のものが投入されると返却通路を通して硬貨返却口に戻すようになっている。また、硬貨投入口から投入された硬貨が硬貨選別機で詰まった場合に硬貨返却ボタンを押して硬貨選別機の返却レバーを操作したときにもその硬貨が硬貨返却口に戻される構成になっている。尚、特許文献１に開示のものでは、硬貨選別機が真正な硬貨と判定した４種類の硬貨つまり５００円硬貨、１００円硬貨、５０円硬貨及び１０円硬貨を全て回収する構成になっている。
【０００３】
また、上記硬貨選別機の取付構造としては、通常、筐体の側面部に４つのねじ止めボス部を設けるとともに、Ｌ字型やブロック型などの取付金具を用いて硬貨選別機を筐体の側面部との間に挟持し、この取付金具に設けた４つのねじ挿通孔からそれぞれねじを通して上記ねじ止めボス部にねじ込むようにしている。この場合、取付金具のねじ挿通孔は、硬貨選別機の取付状態を調整可能とするために、ねじ径よりも大きいいわゆるばか孔として設けられている。
【特許文献１】特開平６−８６８６６号公報（全頁、全図）
【発明の開示】
【発明が解決しようとする課題】
【０００４】
ところが、上記従来の取付構造では、硬貨選別機の取付状態は作業者の技量によるところが大であるため、熟練していない作業者では作業に手間取ったり、正常な状態に取り付けられず硬貨返却率が高くなったりするという問題があった。
【０００５】
本発明はかかる点に鑑みてなされたものであり、その課題とするところは、従来の取付金具の代わりに、保持プレートを用いて硬貨選別機及びこれに接続される硬貨導入通路などの通路をユニット化するとともに、この保持プレートに、硬貨選別機などの筐体側面部に対する取付位置の位置決め機能を持たせることにより、熟練していない作業者でも硬貨選別機などの取付を正常な状態に容易にかつ迅速に行い得る遊技媒体貸出装置を提供せんとするものである。
【課題を解決するための手段】
【０００６】
上記の課題を解決するため、請求項１に係る発明は、遊技媒体貸出装置として、筐体内に、上側から順に紙幣識別機、硬貨導入通路、及び上面にこの硬貨導入通路が接続されかつ下面に硬貨返却通路と硬貨回収通路が接続された硬貨識別機が配置されてなることを前提とする。そして、上記硬貨選別機、硬貨導入通路、硬貨返却通路及び硬貨回収通路を、１つの保持プレートを介して筐体の側面部に取り付け、上記保持プレートの上縁部及び下縁部に、それぞれ縁部を内側にＬ字状に折り曲げてなる水平方向に延びるガイド部を形成する一方、上記筐体の側面部に、上記ガイド部に嵌合可能な円筒状の突部を各ガイド部に対応してそれぞれ少なくとも２つずつ形成する。また、筐体の前面部側にストッパー部を設け、上記保持プレートを筐体の側面部に取り付ける時保持プレートを取付位置よりも後方から上記各突部をそれぞれ対応するガイド部に嵌合しかつガイド部の延び方向に沿って相対移動させながら前方に移動させ、保持プレートの前縁部を上記ストッパー部に当接させて位置決めを行い、この位置決め状態で保持プレートを各突部上にそれぞれねじ止めにより固定するように構成する。
【０００７】
この構成では、硬貨選別機及びこれに接続される３つの通路（硬貨導入通路、硬貨返却通路及び硬貨回収通路）を筐体の側面部に取り付ける時には、予め硬貨選別機及び３つの通路を保持プレートに組み付けてユニット化した後、この保持プレートを筐体の側面部の取付位置よりも後方から筐体の側面部に形成した各突部をそれぞれ対応する保持プレートの上縁部及び下縁部に形成したガイド部に嵌合しかつガイド部の延び方向に沿って相対移動させながら前方に移動させ、保持プレートの前縁部を筐体の前面部側に設けたストッパー部に当接させて保持プレートひいては硬貨選別機及び３つの通路の位置決めを行い、この位置決め状態で保持プレートを各突部上にそれぞれねじ止めで固定することにより、硬貨選別機及び３つの通路が所定の取付位置に正常な取付状態で容易にかつ確実に取り付けられる。
【０００８】
しかも、筐体の側面部に形成した円筒状の各突部は、保持プレートの上縁部及び下縁部にそれぞれ形成したガイド部と協働して保持プレートのガイド機能ひいては位置決め機能を発揮するだけでなく、保持プレートのねじ止めボス部としての機能を兼備しているため、その分構成が簡単なものになる。
【０００９】
請求項１に係る発明は、上述した構成に加えて、上記硬貨選別機は、前後２つの側壁面にそれぞれ２つずつの突起部を有する一方、上記保持プレートに、この硬貨選別機の前後２つの側壁面を挟持する一対の挟持壁を設けるとともに、この各挟持壁に上記各突起部が係合可能な２つの係合溝を形成して、この各係合溝に各々対応する突起部を係合させかつ一対の挟持壁間に硬貨選別機の前後２つの側壁面を挟持させた状態で硬貨選別機を保持プレートに保持させる構成とする。この構成では、硬貨選別機側の突起部と保持プレートの挟持壁側の係合溝との係合及び保持プレートの一対の保持壁間での硬貨選別機の挟持によって硬貨選別機が保持プレートに確実に保持される上、ねじ止めにより硬貨選別機を保持プレートに固定して保持させる場合よりも作業を容易なものにすることができる。
【００１０】
請求項２に係る発明は、請求項１記載の遊技媒体貸出装置において、硬貨識別機を保持プレートに保持させる構造のより好ましい形態を提供するものである。すなわち、上記保持プレートの中央部に、硬貨識別機に対応した大きさの略矩形状の開口部を設けるとともに、この開口部の両側縁部に上記一対の挟持壁をそれぞれ側壁部を略直角に折り曲げて形成し、上記硬貨識別機は、その前後２つの側壁面を一対の挟持壁間に挟持させた状態で保持プレートに保持されるとき上記開口部に嵌り込むように構成する。また、請求項３に係る発明は、請求項２記載の遊技媒体貸出装置において、保持プレートに硬貨返却機構を組み付ける場合の具体的な形態を提供するものである。すなわち、上記硬貨選別機は、硬貨導入通路を通して導入される硬貨を取り入れる硬貨取り入れ口の一部が開閉ゲートにより構成されてなり、上記硬貨取り入れ口で硬貨が詰まった場合に開閉ゲートを少し開いて詰まった硬貨を硬貨選別機内から硬貨返却通路を通して硬貨返却口に戻すための硬貨返却機構を備える。そして、この硬貨返却機構は、上記硬貨選別機の硬貨取り入れ口側に略水平に延びかつ後端が支軸回りに回動可能に設けられた返却レバーと、上記保持プレートに軸方向に移動可能に取り付けられ、一端が筐体の前面部から前方に突出する硬貨返却ボタンと、上記保持プレートに揺動可能に取り付けられ、上記硬貨返却ボタンの押し操作により揺動して返却ボタンの自由端を押し下げる揺動部材とを有し、上記保持プレートに、上記揺動部材に対応して、これとの部材干渉を回避するために、上記開口部の上縁を切り欠いてなる切り欠き部を形成する構成にする。
【発明の効果】
【００１１】
以上のように、本発明の遊技媒体貸出装置によれば、硬貨選別機及びこれに接続される３つの通路を筐体の側面部に取り付ける時には、予め硬貨選別機及び３つの通路を保持プレートに組み付けてユニット化した後、この保持プレートの上下両縁部に形成したガイド部と筐体の側面部に形成した各突部との嵌合によるガイドと筐体の前面側に設けたストッパー部との当接とによって保持プレートの位置決めを行い、この位置決め状態で保持プレートを上記各突部上にねじ止めにより固定することができるので、熟練していない作業者でも硬貨選別機及び３つの通路を所定の取付位置に正常な取付状態で容易にかつ確実に取り付けることができ、取付作業の効率化などに寄与することができる。
【００１２】
しかも、上記各突部は、保持プレート側のガイド部と協働して保持プレートの位置決め機能を発揮するだけでなく、保持プレートのねじ止めボス部としての機能を兼備しているため、その分構成を簡単にすることができ、実施化を図る上で有利なものである。
【００１３】
また、硬貨選別機側の突起部と保持プレートの挟持壁側の係合溝との係合及び保持プレートの一対の保持壁間での硬貨選別機の挟持によって硬貨選別機を保持プレートに確実に保持させることができる上、ねじ止めにより硬貨選別機を保持プレートに固定して保持させる場合よりも取付作業の容易化及び効率化を一層図ることができる。
【００１４】
さらに、硬貨選別機とこれに接続される硬貨導入通路、硬貨回収通路及び硬貨返却通路とが１つの保持プレートに組み付けられているため、各通路と硬貨選別機との位置合わせなどの作業をも容易に行うことができ、取付作業の容易化及び効率化をより一層図ることができる。
【発明を実施するための最良の形態】
【００１５】
以下、本発明を実施するための最良の形態である実施形態を図面に基づいて説明する。
【００１６】
図１及び図２は本発明の一実施形態に係る遊技媒体貸出装置Ａを示し、この遊技媒体貸出装置Ａは、遊技機としてのパチンコ機（図示せず）に隣接して配置され、このパチンコ機に対し貸出データを送信してパチンコ球の貸出処理を行わせるとともに、カード発行機能を有するものである。
【００１７】
すなわち、上記遊技媒体貸出装置Ａは、筐体１内に紙幣識別機２、硬貨選別機３、硬貨導入通路４、硬貨回収通路５、硬貨返却通路６、カードユニット及び主制御基板（共に図示せず）などを装備してなり、筐体１の前面部を構成する正面パネル１ａには紙幣挿入口１１、硬貨投入口１２、硬貨返却ボタン１３、硬貨返却口１４、封入式カード発行口１５及び会員カード挿入口１６などが設けられている。そして、紙幣挿入口１１に所定の紙幣（例えば千円札など）を挿入すると紙幣識別機２でその紙幣が真正であることを確認した後、会員カード挿入口１６に会員カードが挿入されていなければカードユニットがカード発行口１５にて封入式カードを発行するとともに、向かって右隣りのパチンコ機に対し貸出データを送信してパチンコ球の貸出処理を行わせ、会員カード挿入口１６に会員カードが挿入されていれば会員カードに有価価値を加算するようになっている。また、硬貨投入口１２に所定の硬貨（例えば１００円硬貨）を投入したとき硬貨選別機３で投入硬貨の真正が確認されると右隣りのパチンコ機に対しパチンコ球の貸出処理を行わせる。
【００１８】
上記硬貨選別機３は、図３に拡大詳示するように、上面側に開閉ゲート２１により一部構成された硬貨取り入れ口２２（図６参照）を有し、硬貨投入口１２から硬貨導入通路４を通して硬貨取り入れ口２２に導入された硬貨の真偽や金種の選別を行い、真正な硬貨であれば硬貨回収通路５に送出して硬貨の回収を行い、それ以外のものであれば硬貨返却通路６に送出して硬貨返却口１４に戻すようになっている。また、硬貨選別機３の硬貨取り入れ口２２側には略水平に延びる返却レバー２３が支軸２４回りに回動可能に設けられており、硬貨取り入れ口２２で投入された硬貨が詰まった場合に、硬貨返却ボタン１３を前方より押して揺動部材２５を介して返却レバー２３の自由端（前端）を押し下げると開閉ゲート２１が少し開いて、詰まった硬貨が硬貨選別機３内から硬貨返却通路６を介して硬貨返却口１４に戻されるようになっている。ここで、上記返却レバー２３と硬貨返却ボタン１３と揺動部材２５とによって、硬貨選別機３の硬貨取り入れ口２２に硬貨が詰まった場合に開閉ゲート２１を少し開いて詰まった硬貨を硬貨選別機３内から硬貨返却通路６を通して硬貨返却口１４に戻すための硬貨返却機構２８が構成されている。
【００１９】
そして、本発明の特徴点として、上記硬貨選別機３は、図４ないし図８にも示すように、硬貨選別機３を保持する保持プレート３０を介して筐体１の側面部１ｂに取り付けられている。硬貨選別機３は、筐体１の正面側から見て前後２つの側壁面３ａ，３ｂにそれぞれ２つずつの突起部２６，２６を有している。一方、上記保持プレート３０は、図９及び図１０にも示すように、中央に硬貨選別機３に対応した大きさの略矩形状の開口部３１を有する金属製のものであり、この開口部３１の両側縁部には硬貨選別機３の前後２つの側壁面３ａ，３ｂを挟持する一対の挟持壁３２，３３がそれぞれ側縁部を略直角に折り曲げて形成されている。この各挟持壁３２，３３には上記硬貨選別機３の各突起部２６が係合可能な上下２つの係合溝３４，３５が形成されている。また、保持プレート３０には、一方の挟持壁３３の上側の係合溝３４に対応して板ばねからなるロック部材３６が取り付けられ、このロック部材３６の先端部には上記係合溝３４に係合する硬貨選別機３の突起部２６が嵌合可能な嵌合孔３７が設けられている。しかして、硬貨選別機３を保持プレート３０に保持させる時には、硬貨選別機３の各突起部２６を各々対応する保持プレート３０の係合溝３４，３５に係合させるとともに、係合溝３４に係合した１つの突起部２６をロック部材３６の嵌合孔３７に嵌合して、保持プレート３０の一対の挟持壁３２，３３間に硬貨選別機３の前後２つの側壁面３ａ，３ｂを挟持させるようになっている。
【００２０】
上記保持プレート３０は、硬貨選別機３を保持する箇所である中央の開口部３１を挟んで上部及び下部にそれぞれ比較的大きく拡大されており、この保持プレート３０の上部には上記硬貨導入通路４、硬貨返却ボタン１３及び揺動部材２５などが取り付けられているとともに、保持プレート３０の下部には上記硬貨回収通路５及び硬貨返却通路６が取り付けられている。また、保持プレート３０の上縁部及び下縁部にはそれぞれ縁部を内側にＬ字状に折り曲げてなる水平方向に延びるガイド部３８，３９が１条ずつ形成されている。この両ガイド部３８，３９のうち、上側のガイド部３８は、前後に２つに分割され、その各分割部分の略中央部にねじ挿通孔４０が設けられている一方、下側のガイド部３９は、保持プレート３０の下縁部略全長に亘り連続して形成され、その前後両端部にそれぞれねじ挿通孔４０，４０が設けられている。さらに、保持プレート３０には、上記揺動部材２５に対応して、これとの部材干渉を回避するために、開口部３０の上縁を一部切り欠いてなる切り欠き部４５が形成されている。
【００２１】
一方、上記筐体１の側面部１ｂには保持プレート３０のガイド部３８，３９に嵌合可能な突部としてのねじ止めボス部４１，４１，…が各ガイド部３８，３９に対応してそれぞれ２つずつ計４つ設けられ、各ねじ止めボス部４１は、保持プレート３０の取付位置における上記各ねじ挿通孔４０に対応して設けられている。また、筐体１の側面部１ｂには、正面パネル１ａに近接した位置に垂直面４２ａを有するストッパー部材４２が固定されている。そして、筐体１の側面部１ｂに上記保持プレート３０を取り付ける時には、先ず保持プレート３０側の硬貨回収通路５の一部を、図４に示す如く筐体１の背面部１ｃに設けた開口部４３から後方に突出させて保持プレート３０を筐体１の側面部１ｂでの取付位置よりも後方に位置させ、その位置から保持プレート３０の各ガイド部３８，３９にそれぞれ筐体１の側面部１ｂの各ねじ止めボス部４１を嵌合しかつガイド部３８，３９の延び方向に沿って相対移動させながら保持プレート３０を前方に移動させ、図３に示す如く保持プレート３０の前縁部３０ａを上記ストッパー部材４２の垂直面４２ａに当接させて取付位置で位置決めを行い、この位置決め状態で保持プレート３０の各ガイド部３８，３９のねじ挿通孔４０からそれぞれねじ４４（図２参照）を挿通して筐体１の側面部１ｂの各ねじ止めボス部４１上にねじ込んで固定するように構成されている。
【００２２】
次に、上記遊技媒体貸出装置Ａの作用・効果を説明するに、硬貨選別機３を筐体１の側面部１ｂに取り付ける場合には、先ず、硬貨選別機３を保持プレート３０の中央部に保持させるとともに、この保持プレート３０の上部に硬貨導入通路４などを取り付け、保持プレート３０の下部に硬貨回収通路５及び硬貨返却通路６を取り付ける。この際、硬貨選別機３の保持は、硬貨選別機３の前後２つの側壁面３ａ，３ｂの計４つの突起部２６，２６，…をそれぞれ保持プレート３０の一対の挟持壁３２，３３の対応する係合溝３４，３５に係合させるとともに、１つの突起部２６をロック部材３６の嵌合孔３７に嵌合して、保持プレート３０の一対の挟持壁３２，３３間に硬貨選別機３の前後２つの側壁面３ａ，３ｂを挟持させることで行われるため、保持強度を十分に確保することができる上、ねじ止めにより硬貨選別機３を保持プレート３０に固定して保持させる場合よりも作業の容易化及び効率化を図ることができる。また、１つの保持プレート３０に硬貨選別機３と共に硬貨導入通路４、硬貨回収通路５及び硬貨返却通路６が取り付けられるため、これら３つの通路４〜６と硬貨選別機３との位置合わせなどの作業をも容易に行うことができ、作業の容易化及び効率化をより図ることができる。
【００２３】
しかる後、保持プレート３０側の硬貨回収通路５の一部を、図４に示す如く筐体１の背面部１ｃの開口部４３から後方に突出させて保持プレート３０を筐体１の側面部１ｂでの取付位置よりも後方に位置させ、その位置から保持プレート３０の各ガイド部３８，３９にそれぞれ筐体１の側面部１ｂの各ねじ止めボス部４１を嵌合しかつガイド部３８，３９の延び方向に沿って相対移動させながら保持プレート３０を前方に移動させ、図３に示す如く保持プレート３０の前縁部３０ａを筐体１側のストッパー部材４２の垂直面４２ａに当接させて取付位置で位置決めを行う。続いて、この位置決め状態で保持プレート３０の各ガイド部３８，３９のねじ挿通孔４０からそれぞれねじ４４を挿通して筐体１の側面部１ｂの各ねじ止めボス部４１上にねじ込んで固定する。
【００２４】
このような取付作業では、保持プレート３０側のガイド部３８，３９と筐体１側のねじ止めボス部４１との嵌合によるガイド機能と筐体１側のストッパー部材４２による位置規制とによって保持プレート３０を筐体１の側面部１ｂの所定位置にかつ正常な取付状態に位置決めをして固定することができるので、熟練していない作業者でも作業を容易にかつ迅速に行うことができ、作業の効率化などに寄与することができる。しかも、筐体１側のねじ止めボス部４１は、保持プレート３０側のガイド部３８，３９と協働して保持プレート３０のガイド機能ひいては位置決め機能を発揮するだけでなく、保持プレート３０をねじ止めする機能をも兼備しているため、その分構成を簡単にすることができ、実施化を図る上で有利なものである。
【００２５】
尚、本発明は上記実施形態に限定されるものではなく、その他種々の形態を包含するものである。例えば、上記実施形態では、保持プレート３０の上端部及び下端部に、それぞれ縁部を内側にＬ字状に折り曲げてなる水平方向に延びるガイド部３８，３９を１条ずつ形成するとともに、筐体１の側面部１ｂに、上記各ガイド部３８，３９に嵌合可能な突部としてのねじ止めボス部４１，４１，…を各ガイド部３８，３９に対応してそれぞれ２つずつ計４つ設けたが、本発明は、ねじ止めボス部４１の個数を適宜変更してもよい。
【００２６】
また、上記実施形態では、筐体１の側面部１ｂの正面パネル１ａに近接した位置に垂直面４２ａを有するストッパー部材４２を固定し、保持プレート３０を筐体１の側面部１ｂに固定する時このストッパー部材４２の垂直面４２ａに保持プレート３０の前縁部３０ａを当接させて保持プレート３０の位置決めを行うようにしたが、本発明は、ストッパー部材４２の如き専用部材を用いる代わりに、例えば正面パネル１ａの裏面側に垂直なストッパー部を一体に形成し、このストッパー部により保持プレート３０の位置決めを行うようにしてもよい。
【００２７】
【００２８】
【図面の簡単な説明】
【００２９】
【図１】本発明の実施形態に係る遊技媒体貸出装置の正面図である。
【図２】上記遊技媒体貸出装置の一部を切開して見た左側面図である。
【図３】図２の硬貨選別機付近を保持プレートのねじ止め前の状態で拡大した図である。
【図４】図３で保持プレートを取付位置よりも後方に配置した状態を示す図である。
【図５】保持プレートとこれに取り付けた硬貨選別機などとかなるユニット化部品を筐体から取り外した状態を示す分解斜視図である。
【図６】上記ユニット化部品をその筐体取付面側（保持プレート側）と反対側の前方から見た斜視図である。
【図７】同じくユニット化部品をその筐体取付面側の前方から見た斜視図である。
【図８】ユニット化部品をその筐体取付面側から見た側面図である。
【図９】保持プレートをその前縁側から見た斜視図である。
【図１０】同じく保持プレートの後縁側から見た斜視図である。
【符号の説明】
【００３０】
Ａ    遊技媒体貸出装置
１    筐体
１ａ  正面パネル（前面部）
１ｂ  側面部
３    硬貨選別機
３ａ，３ｂ    側壁面
４    硬貨導入通路
５    硬貨回収通路
６    硬貨返却通路
１２    硬貨投入口
１３ 硬貨返却ボタン
１４    硬貨返却口
２１ 開閉ゲート
２２ 硬貨取り入れ口
２３ 返却レバー
２４ 支軸
２５ 揺動部材
２６    突起部
２８ 硬貨返却機構
３０    保持プレート
３０ａ  前縁部
３１ 開口部
３２，３３    挟持壁
３４，３５    係合溝
３８，３９    ガイド部
４１    ねじ止めボス部（突部）
４２    ストッパー部材
４２ａ  垂直面（ストッパー部）
４４    ねじ
４５ 切り欠き部
【図１】
0004393139.tif 000002
【図２】
0004393139.tif 000003
【図３】
0004393139.tif 000004
【図４】
0004393139.tif 000005
【図５】
0004393139.tif 000006
【図６】
0004393139.tif 000007
【図７】
0004393139.tif 000008
【図８】
0004393139.tif 000009
【図９】
0004393139.tif 000010
【図１０】
0004393139.tif 000011